(57)【要約】  【課題】  風を送る機能の他に他の使用方法に利用できるうちわを提供する。  【解決手段】  複数本の骨材５を所要の間隔をあけて配した扇体４と、この扇体４の外周の一部から突出した取っ手６と、前記扇体４の表裏面に貼り付けられるシート７とを備え、扇体、取っ手及びシートが生分解性材料からなり、前記扇体の骨材の間に草花の種子８を保持してなるうちわ。【選択図】      図５
0003123779.tif 000002
【実用新案登録請求の範囲】
【請求項１】
複数本の骨材を所要の間隔をあけて配した扇体と、この扇体の外周の一部から突出した取っ手と、前記扇体の表裏面に貼り付けられるシートとを備え、前記扇体の骨材の間に植物の種子を保持してなるうちわ。
【請求項２】
複数本の骨材を所要の間隔をあけて配した扇体と、この扇体の外周の一部から突出した取っ手と、この取っ手の先端および前記扇体の外周部の複数箇所を、この外周部よりも肉厚の薄い弱化部を介して支持する枠体と、少なくとも前記扇体を含む前記枠体の表裏面に貼り付けられるシートとを備え、前記扇体の骨材の間に植物の種子を保持してなるうちわ。
【請求項３】
円形状の扇体と、この扇体の外周の一部から突出した取っ手と、前記扇体の表裏面に貼り付けられるシートとを備え、
前記扇体には、少なくとも表裏面の一方に開口した穴が形成されており、この穴に植物の種子が収容される
ことを特徴とするうちわ。
【請求項４】
前記取っ手または前記扇体には、前記種子を土中に埋める際に、地面に合わせることで種蒔き深さを明示する目印が付されている
ことを特徴とする請求項１から請求項３までのいずれかに記載のうちわ。
【請求項５】
前記扇体、取っ手、枠体およびシートが生分解性材料からなる
ことを特徴とする請求項１から請求項４までのいずれかに記載のうちわ。
【請求項６】
前記扇体、取っ手及び枠体が、生分解性プラスチックからなり、シートが紙からなることを特徴とする請求項１から請求項５までのいずれかに記載のうちわ。
【請求項７】
前記取っ手に前記植物の名称表示部が形成されてなることを特徴とする請求項１から請求項６までのいずれかに記載のうちわ。
【考案の詳細な説明】
【技術分野】
【０００１】
本考案は、日常の使用の他に、新たな使用対象を提供するうちわに関する。
【背景技術】
【０００２】
うちわは、棒状の柄部と、複数本の骨材を放射状に並べた扇体とからなり、この扇体の根本に前記柄部の一端を一体化して、扇体の表裏面に紙を貼り付けたものが一般的であり、主要部が紙で形成され、例えば雨や水に濡れても強靱なうちわなどが提案されている（例えば、特許文献１参照）。これは、紙板からなる板状芯材の表裏に、透明な保護シートを完全に被着して扇部を形成し、その一側に柄部を取り付て、板状芯材が紙板で形成されていても、保護シートにより覆ってあるので、雨や水に当たったときに水分を吸収することなく、強靱に保たれる。
【０００３】
【特許文献１】実開平５−６８３２０号公報
【考案の開示】
【考案が解決しようとする課題】
【０００４】
ところで、上記特許文献１のうちわは、雨水への耐性については考慮されているが、他の用途については考慮されていない。
【０００５】
本考案は、風を送る機能の他に従来想到されていない新たな使用対象に利用できるうちわを提供することを目的としている。
【課題を解決するための手段】
【０００６】
上記目的を達成するため、本考案のうちわは、複数本の骨材を所要の間隔をあけて配した扇体と、この扇体の外周の一部から突出した取っ手と、前記扇体の表裏面に貼り付けられるシートとを備え、前記扇体の骨材の間に植物の種子を保持してなることを特徴とする。
また本考案のうちわは、複数本の骨材を所要の間隔をあけて配した扇体と、この扇体の外周の一部から突出した取っ手と、この取っ手の先端および前記扇体の外周部の複数箇所を、この外周部よりも肉厚の薄い弱化部を介して支持する枠体と、少なくとも前記扇体を含む前記枠体の表裏面に貼り付けられるシートとを備え、前記扇体の骨材の間に植物の種子を保持してなることを特徴とする。
また、本考案のうちわは、円形状の扇体と、この扇体の外周の一部から突出した取っ手と、前記扇体の表裏面に貼り付けられるシートとを備え、前記扇体には、少なくとも表裏面の一方に開口した穴が形成されており、この穴に植物の種子が収容されることを特徴とする。
【０００７】
また、前記取っ手または前記扇体には、前記種子を土中に埋める際に、地面に合わせることで種蒔き深さを明示する目印が付されていることを特徴としている。
また、前記扇体、取っ手、枠体およびシートが生分解性材料からなることを特徴としている。
また、前記扇体、取っ手及び枠体が、生分解性プラスチックからなり、シートが紙からなることを特徴としている。
さらに、前記取っ手に前記植物の名称表示部が形成されてなることを特徴としている。
【考案の効果】
【０００８】
本考案のうちわは、複数本の骨材を所要の間隔をあけて配した扇体と、この扇体の外周の一部から突出した取っ手と、前記扇体の表裏面に貼り付けられるシートとを備え、前記扇体の骨材の間に植物の種子を保持してなるので、うちわとして使用することができるとともに、植物の種子を植栽するのに好適に使用することができる。
また、本考案によるうちわは、取っ手の先端および扇体の外周部の複数箇所が、弱化部を介して枠体に支持されており、少なくとも扇体を含む枠体の表裏面がシートにて覆われているので、このシートに切手を貼ることにより、はがき形郵便物として使用することができる。
また、弱化部を折損させて枠体から扇体および取っ手を切り離すと、うちわとして使用することができる。
【０００９】
また、前記取っ手または前記扇体には、前記種子を土中に埋める際に、地面に合わせることで種蒔き深さを明示する目印が付されているので、種子を適正な深さに配置することが容易となる。
また、骨材の間に植物の種子を保持しているので、扇体側を土中に埋めておくと、シートが溶けるに伴って種子に水分や養分が与えられ、植物を成育させることができる。
また、扇体およびシートが生分解性材料からなるので、周囲環境を悪化させる問題がなくなる。
また、取っ手に植物の名称を表示しているので、この取っ手を露出させて全体を土中に埋めると、何の種子が植え付けられているかを知ることができる。
【考案を実施するための最良の形態】
【００１０】
以下、本考案のうちわの実施形態について、図面を参照しながら詳述する。
図１は、本考案の一実施形態に係るうちわを示す展開斜視図、図２は、同うちわを示す平面図である。
本実施形態のうちわ３は、枠体２とともに形成し、シート７を貼り付けることにより、はがき用うちわ１を構成する。
このはがき用うちわ１は、矩形状の枠体２と、扇体４、取っ手６および弱化部２ａが一体化されるように、生分解性プラスチックを用いて成型加工される。
【００１１】
なお、弱化部２ａは、扇体４の外周部４ｂよりも薄い肉厚とされ、扇体４の外周部４ｂにおける中央および左右側と、取っ手６の先端６ａとの４箇所に形成されている。
この弱化部２ａは、他よりも薄肉のため、折損したり切除し易く、扇体４および取っ手６を枠体２から容易に切り離すことができる。
【００１２】
扇体４は略円形状で、要（かなめ）部４ａから外周部４ｂに向けて複数本の骨材５を放射状に延出している。
なお、骨材５は、外周部４ｂと同じ肉厚に形成され、全体を偏平に保っている。
取っ手６は細長の板状で、要部４ａ側の外周部４ｂから扇体４の長さ方向に延出している。
なお、この取っ手６は、表裏面がほぼ偏平であり、先端６ａから外周部４ｂ側に向けて、後述の種子８に関する草花の名称を記入可能となっている。
【００１３】
シート７は、枠体２を覆う矩形状に形成され、２枚１組の生分解性フィルムあるいは和紙などの紙を用いている。
生分解性フィルムとしては、前記生分解性プラスチックであり、本例では、半透明のフィルムを使用している。
このシート７は、図１、図４に示すように、まず、１枚目を枠体２の裏面２ｃに貼り付ける。そして、骨材５の間に適当な間隔をあけて草花の種子８を横一列に置いておく。
【００１４】
次に、枠体２の表面２ｂに２枚目のシート７を貼り付ける。すると、表裏面２ｂ，２ｃの全体を覆うシート７，７の間に多数の種子８が保持される。
このように形成されたはがき用うちわ１は、図２に示す如く扇体４および取っ手６に沿ってミシン目４ｃを入れておく。また、表面２ｂ側のシート７に郵便番号のサイン９を記入する。
そして、切手１０を貼るとはがき形の郵便物として使用することができる。
このはがき用うちわ１は、矩形状であるから、はがきと同様の感覚で使用することができ、内容記載のスペースも広く使用することができる。
【００１５】
はがきとして受け取った後に弱化部２ａを折損し、ミシン目４ｃに沿ってシート７を切除すると、扇体４と取っ手６とが枠体２から簡便に切り離される。
これにより、うちわ３が形成されるので、使用者が取っ手６を把持して扇ぐことができる。
このうちわ３のシート７が、透明または半透明である場合は、使用者がシート７の間に種子８のあることに気づき易い。
そして、扇体４の骨材５の間に草花の種子８を保持し、種子８から取っ手６の基端６ｂの目印６ｃまでの距離１３が種子８を植栽するに適する深さとされている場合は、使用者が種子８を育てようとするとき、取っ手６を露出させて扇体４全体を目印６ｃまで土中Ｇに埋めておくことで、適正な深さに植栽することができる。
植栽すると、種子８に水分や養分が与えられ、草花を成育させることができる。
この際、取っ手６に草花の名称を表示する表示部１２を形成している場合は、何の種を植え付けたかを容易に知ることができ、別途札を立てる必要がない。
【００１６】
そして、扇体４および取っ手６は、生分解性プラスチックにより形成され、シート７は生分解性フィルムで形成されている。
この生分解性プラスチックや生分解性フィルムは、でんぷんやセルロースなど天然素材を主成分にしているバイオプラスチックが好適に使用される。
このバイオプラスチックは、微生物により水と炭酸ガスに完全分解され、ダイオキシンなどの有害物質の発生を抑制する。
よって、うちわ３を土中Ｇに埋めると、時間とともに分解され周囲環境を汚染することがない。
【００１７】
なお、本考案は上記の各実施形態に限定されず、本考案の趣旨を逸脱しない範囲で、種々の変更が可能である。
以下、本考案のうちわの変形例について説明する。なお、本変形例のうちわは、基本的には上記実施例のうちわと同様の構成であり、同じ部材には同じ符号を付して説明する。
【００１８】
本変形例のうちわは、図６に示すように、扇体４の下端部が閉塞されている。そして、この閉塞された板状面２１には、表裏面に開口する細長い穴２２が形成されており、この穴２２に種子８が収容される。そして、扇体４の表裏面にシート７，７が貼り付けられる。この際、シート７の全部または穴２２の周囲を透明にすることで、種子８を視認することができる。
【００１９】
本変形例のうちわ３は、図７に示すように、取っ手６側から土中Ｇに埋め込まれる。この際、扇体４の表裏面に貼り付けられたシート７，７の少なくとも一方に、たとえば点線で目印２３が付されており、この目印２３までうちわ３が土中Ｇに埋め込まれる。これにより、種子８は適した地中深さに配置される。
本変形例のうちわ３は、取っ手６側から土中に埋め込まれることで、シート７に印刷や記載された文字２４や絵などが地上に露出する。よって、広告効果も得ることが可能である。
【図面の簡単な説明】
【００２０】
【図１】本考案の一実施形態に係るはがき用うちわを示す展開斜視面図である。
【図２】同はがき用うちわを示す平面図である。
【図３】うちわを示す斜視図である。
【図４】図３のＩＶ−ＩＶ線に沿った断面図である。
【図５】うちわを植栽して使用する状態を示す正面図である。
【図６】本考案のうちわの変形例を示す正面図であり、シートを省略して示している。
【図７】図６のうちわを植栽して使用する状態を示す正面図である。
【符号の説明】
【００２１】
２      枠体
２ａ    弱化部
２ｂ    表面
２ｃ    裏面
４      扇体
４ｂ    外周部
５      骨材
６      取っ手
６ａ    先端
７      シート
８      種子
【図１】
0003123779.tif 000003
【図２】
0003123779.tif 000004
【図３】
0003123779.tif 000005
【図４】
0003123779.tif 000006
【図５】
0003123779.tif 000007
【図６】
0003123779.tif 000008
【図７】
0003123779.tif 000009